(57)【要約】【課題】　縁なし眼鏡フレームの製造工程を簡略化する。【解決手段】　ヨロイ４０は、支持部４１の先端を折り曲げて成形される固定ピン４２と、支持部４１の他端を折り曲げて成形される連結部４３とを有する。支持部４１にネジ部４４のリング４４ａを嵌合する。固定ピン４２を眼鏡レンズ２１に形成した第１の穴に嵌入させる。ワッシャ４５をネジ部４４に嵌合し、ネジ部４４を眼鏡レンズ２１の第２の穴に嵌入させる。ネジ部４４の突出部分にナット４６を螺合する。【選択図】　　　　図１
2004029855.tif 000002
【特許請求の範囲】
【請求項１】
　ツルに折り畳み自在に連結されたヨロイを眼鏡レンズに固定する縁なし眼鏡フレームであって、
　該ヨロイは、通常の眼鏡装用状態における水平方向に延びる支持部と、この支持部の一端を折り曲げて形成され前記ツルに連結される連結部と、前記支持部の他端に一体に形成され前記眼鏡レンズに形成された第１の穴に嵌入される固定ピンと、前記固定ピンより連結部側において前記支持部に設けられ前記眼鏡レンズに形成された第２の穴に嵌入されるネジ部とを有することを特徴とする縁なし眼鏡フレーム。
【請求項２】
　前記ネジ部は、前記支持部に一体に形成されることを特徴とする請求項１に記載の縁なし眼鏡フレーム。
【発明の詳細な説明】
【技術分野】
【０００１】
　本発明は眼鏡フレームに関し、より詳しくは、眼鏡レンズが嵌め込まれる縁枠を有しない、縁なし眼鏡フレームに関する。
【背景技術】
【０００２】
　従来、縁なし眼鏡フレームとして、例えば図９に示すものが知られている。この縁なし眼鏡フレームは、眼鏡レンズ１１の縁部の近傍に形成された穴に、ヨロイ１２の先端に設けられたネジ部１３を嵌め込み、このネジ部１３に例えばナットを螺合させることにより眼鏡レンズ１１に連結されている。さらに、ネジ部１３により固定された眼鏡レンズ１１がフレームに対して回転変位することを防止するため、ヨロイ１２には、眼鏡レンズ１１の外周縁１４に当接する張り出し部１５が設けられている。
【発明の開示】
【発明が解決しようとする課題】
【０００３】
　ヨロイ１２は強度を必要とするため比較的太い金属部材により構成されるのに対し、張り出し部１５は眼鏡レンズ１１の外周部に沿った薄い板部材により構成されている。したがって、ヨロイ１２と張り出し部１５とを一体成形することは困難であり、従来の縁なし眼鏡フレームの製造工程では、張り出し部１５をヨロイ１２に対してロウ付け等により接着する工程が必要であり、この製造工程をさらに簡略化することが望まれていた。
【０００４】
　本発明は、以上の問題点に鑑み、縁なし眼鏡フレームの製造工程を簡略化することを目的としている。
【課題を解決するための手段】
【０００５】
　本発明に係る縁なし眼鏡フレームは、眼鏡レンズに形成された第１の穴に嵌入される固定ピンと、この固定ピンの基部に連設された支持部に設けられ、眼鏡レンズに形成された第２の穴に嵌入されるネジ部とを備えたことを特徴としている。
【発明の効果】
【０００６】
　本発明によれば、縁なし眼鏡フレームの製造工程が簡単になるという効果が得られる。
【発明を実施するための最良の形態】
【０００７】
　以下図示実施例により本発明を説明する。図１〜図４は本発明の第１実施例を示している。
【０００８】
　縁なし眼鏡フレームは、一対の眼鏡レンズ２１、２２を連結するブリッジ３０と、各眼鏡レンズ２１、２２に固定されたヨロイ４０、５０と、これらのヨロイ４０、５０に丁番６１、７１を介して折り畳み自在に連結されたツル６０、７０とを有する。本実施例においてブリッジ３０とヨロイ４０、５０とツル６０、７０は、断面円形を有する細い棒状部材により成形され、例えば純チタン製であるが、チタン合金製であってもよい。
【０００９】
　ヨロイ４０は図２に示されるように、支持部４１と、この支持部４１の先端を折り曲げて成形された固定ピン４２と、支持部４１の他端を折り曲げて成形され、丁番６１が取り付けられた連結部４３とを有する。固定ピン４２は、眼鏡レンズ２１の縁部近傍に形成された第１の穴２３に嵌入される。支持部４１は、固定ピン４２の基部に連設され、図１の状態において水平方向に延びている。支持部４１には、ネジ部４４が設けられる。
【００１０】
　ネジ部４４は、支持部４１に嵌合されるリング４４ａと、一端がこのリング４４ａに接続されたネジ棒４４ｂとを有し、例えば銅合金から成形される。ネジ部４４は固定ピン４２と平行に延び、固定ピン４２よりも長い。ネジ部４４は、眼鏡レンズ２１の第１の穴２３の側方に形成された第２の穴２４に嵌入され、リング４４ａと眼鏡レンズ２１の間には、合成樹脂製のワッシャ４５が嵌合される。図３に示されるように、ネジ部４４の眼鏡レンズ２１からの突出部分には、ナット４６が螺合され、これにより眼鏡レンズ２１はヨロイ４０に一体的に連結される。
【００１１】
　ブリッジ３０は図４に示されるように、円弧状に湾曲した本体３１と、この本体３１の両端を折り曲げて成形された固定ピン３２とを有する。固定ピン３２は、眼鏡レンズ２１の縁部近傍に形成された第１の穴２５に嵌入される。本体３１には、例えば銅合金から成形されるネジ部３３が取り付けられる。すなわちネジ部３３のリング３３ａは本体３１に嵌合され、このリング３３ａに接続されたネジ棒３３ｂは、眼鏡レンズ２１の第１の穴２５の上方に形成された第２の穴２６に嵌入されている。ネジ棒３３ｂは固定ピン３２よりも長い。ネジ棒３３ｂの眼鏡レンズ２１からの突出部分にはナット３４が螺合され、これによりブリッジ３０と眼鏡レンズ２１は一体的に連結される。なお、リング３３ａと眼鏡レンズ２１の間には合成樹脂製のワッシャ３５が嵌合される。
【００１２】
　他方の眼鏡レンズ２２とヨロイ５０およびブリッジ３０との連結構造は、上述したものと同じであるので、その説明は省略する。
【００１３】
　以上のように第１実施例では、ヨロイ４０と眼鏡レンズ２１は、固定ピン４２とネジ部４４を眼鏡レンズ２１に形成された第１および第２の穴２３、２４に嵌入し、ナット４６をネジ部４４に螺合することにより連結されている。したがって、ヨロイ４０と眼鏡レンズ２１は強固に連結固定され、ガタが生じることはない。このような効果は、ヨロイ５０と眼鏡レンズ２２の連結構造、およびブリッジ３０と眼鏡レンズ２１、２２の連結構造についても同じである。
【００１４】
　また本実施例では、ネジ部４４、３３をヨロイ４０あるいはブリッジ３０に取り付ける際、リング４４ａ、３３ａをヨロイ４０あるいはブリッジ３０に嵌合するだけでよく、ロウ付け等の接着工程は不要である。したがって本実施例によれば、従来のようにヨロイ４０に張り出し部等を接着する必要がないので、縁なし眼鏡フレームの製造工程が簡単になる。
【００１５】
　図５〜図７は、第２実施例を示すものである。図５は縁なし眼鏡フレームの斜視図、図６はヨロイ４０と眼鏡レンズ２１の連結構造を示す斜視図、図７はブリッジ３０と眼鏡レンズ２１の連結構造を示す斜視図である。以下、第１実施例と異なる構成のみを説明する。
【００１６】
　ネジ部４４はヨロイ４０の支持部４１に一体的に形成されており、固定ピン４２と平行に延びている。固定ピン４２は眼鏡レンズ２１の第１の穴２３に嵌入され、ネジ部４４は第２の穴２４に嵌入される。同様に、ネジ部３３はブリッジ３０の本体３１に一体的に形成されており、固定ピン３２と平行に延びている。固定ピン３２は眼鏡レンズ２１の第１の穴２５に嵌入され、ネジ部３３と第２の穴２６に嵌入される。ヨロイ４０とブリッジ３０は、１枚の金属板を打抜きあるいは切断加工して得られ、ブリッジ３０は、このような加工の後、さらに円弧状に湾曲させることにより成形される。
【００１７】
　その他の構成は第１実施例と同様である。なおワッシャは、第１実施例と同様に、必要に応じて眼鏡レンズ２１、２２とヨロイ４０、５０およびブリッジ３０との間に設けられる。
【００１８】
　第２実施例によれば、第１実施例と同様に、固定ピン４２とネジ部４４を第１および第２の穴２３、２４に嵌入し、ナット４６をネジ部４４に螺合する構成により、また固定ピン３２とネジ部３３を第１および第２の穴２５、２６に嵌入し、ナット３５をネジ部３３に螺合する構成により、ヨロイ４０およびブリッジ３０と眼鏡レンズ２１が強固に連結され、眼鏡レンズ２１、２２とヨロイ４０、５０およびブリッジ３０との間のガタが防止される。
【００１９】
　また第２実施例では、ヨロイ４０とブリッジ３０は、１枚の金属板部材から成形されるため、第１実施例と同様に、ロウ付け等の接着工程は不要であり、縁なし眼鏡フレームの製造工程が簡単になる。
【００２０】
　図８はヨロイ４０の他の例を示している。この実施例では、ヨロイ４０は、例えば純チタンから成る断面矩形の帯状部材を折り曲げることにより成形され、銅合金等から成るネジ部４４は、支持部４１の内面に接着されている。このヨロイ４０の構成によれば、製造工程においてネジ部４４の接着作業が必要になるが、ブリッジを、上述した各実施例と同様な構成にすることにより、縁なし眼鏡フレーム全体の製造工程を従来よりも簡単にすることができる。
【００２１】
　なお、第１実施例において、ネジ部３３、４４のリング３３ａ、４４ａとネジ棒３３ｂ、４４ｂとは相互に接着されていたが、これに代え、ネジ部３３、４４を一体的に成形してもよい。
【図面の簡単な説明】
【００２２】
【図１】本発明の第１実施例である縁なし眼鏡フレームを示す斜視図である。
【図２】第１実施例におけるヨロイと眼鏡レンズの連結構造を示す分解斜視図である。
【図３】第１実施例におけるヨロイと眼鏡レンズの連結構造を示す断面図である。
【図４】第１実施例におけるブリッジと眼鏡レンズの連結構造を示す分解斜視図である。
【図５】本発明の第２実施例である縁なし眼鏡フレームを示す斜視図である。
【図６】第２実施例におけるヨロイと眼鏡レンズの連結構造を示す斜視図である。
【図７】第２実施例におけるブリッジと眼鏡レンズの連結構造を示す斜視図である。
【図８】ヨロイの他の例を示す斜視図である。
【図９】従来の縁なし眼鏡フレームを示す斜視図である。
【符号の説明】
【００２３】
　２１、２２　眼鏡レンズ
　２３、２５　第１の穴
　２４、２６　第２の穴
　３０　ブリッジ
　３２、４２　固定ピン
　３３、４４　ネジ部
　３３ｂ、４４ｂ　ネジ棒
　４０、５０　ヨロイ
　４１　支持部
　４４ａ　リング
　６０、７０　ツル
【図１】
2004029855.tif 000003
【図２】
2004029855.tif 000004
【図３】
2004029855.tif 000005
【図４】
2004029855.tif 000006
【図５】
2004029855.tif 000007
【図６】
2004029855.tif 000008
【図７】
2004029855.tif 000009
【図８】
2004029855.tif 000010
【図９】
2004029855.tif 000011